(57)【要約】【課題】  人手等の外力が得られないような場合にも、十分なバウンシングを行える乳幼児用シートを提供する。【解決手段】  設置面に載置される基部２１と、基部２１に対して所定角度で傾斜されて配置される傾斜フレーム２３と、傾斜フレーム２３に支持されるシート体４と、基部２１の一端部２１ｂにおいて、傾斜フレーム２３の下端部に連結されて、傾斜フレーム２３を弾性的に支持するバウンス部２２と、基部２１の他端部２１ａとシート体４の上端部２３ａとの距離を伸縮させて、シート体４の基部２１に対する傾斜角度を変化させる駆動手段３とを有する。【選択図】  図１
2008035916.tif 000002
【特許請求の範囲】
【請求項１】
設置面に載置される基部と、
前記基部に対して所定角度で傾斜されて配置される傾斜フレームと、
前記傾斜フレームに支持されるシート体と、
前記基部の一端部において、該基部と一体もしくは別体に設けられ、前記傾斜フレームの下端部に連結されて、該傾斜フレームを弾性的に支持するバウンス部と、
前記基部の他端部と前記シート体の上端部との間に懸架され、該他端部と該上端部との距離を伸縮させて、該シート体の該基部に対する傾斜角度を変化させる駆動手段と
を有することを特徴とする乳幼児用シート。
【請求項２】
前記駆動手段は、前記シート体の上端部を前記基部に対して引き寄せる牽引部材を有し、
前記牽引部材のシート体側端部には、係合手段が設けられ、
前記シート体背面には、前記牽引部の係合手段が連結される連結部が設けられ、
前記連結部は、前記シート体背面に複数配列され、前記係合手段が連結される連結部を選択することにより、前記牽引部材による引張力を段階的に増減可能となっている
ことを特徴とする請求項１に記載の乳幼児用シート。
【請求項３】
前記駆動手段は、前記シート体の傾斜角度変化を不規則な周期で変化させる機能を備えていることを特徴とする請求項１に記載の乳幼児用シート。
【請求項４】
前記シート体の上部には、胎内音を出力する音声出力手段が内蔵されていることを特徴とする請求項１に記載の乳幼児用シート。
【発明の詳細な説明】
【技術分野】
【０００１】
本発明は、乳幼児を保持しつつ揺動するいわゆるバウンシング機能を備えた乳幼児用シートに関する。
【背景技術】
【０００２】
従来の乳幼児用シートでは、乳幼児を寝かせた状態でシート体に保持しながら、乳幼児の動きに対応して、シート体を揺動させるバウンシングの機能を備える、いわゆるバウンサーと呼ばれるものが種々提案されている（特許文献１）。
【特許文献１】特願２００５−１０２９９２号
【発明の開示】
【発明が解決しようとする課題】
【０００３】
しかしながら、上記従来のバウンサーは、例えばシート体を弾性的に支持するバウンス部を備え、このバウンス部を、乳幼児の体重移動や他者の人手により振動させ、シート体の揺動を得ていることから、乳幼児の体重移動では十分な揺動が生じなかったり、他者が揺動操作のための手を掛けられないような場合には、その機能を十分に果たせないという問題があった。
【０００４】
そこで、本発明は以上の点に鑑みてなされたもので、従来のバウンサーに駆動手段を設けることにより、人手等の外力が得られないような場合にも、十分なバウンシングを行える乳幼児用シートを提供することをその課題とする。
【課題を解決するための手段】
【０００５】
上記課題を解決するために、本発明は、設置面に載置される基部と、基部に対して所定角度で傾斜されて配置される傾斜フレームと、傾斜フレームに支持されるシート体と、基部の一端部において、基部と一体もしくは別体に設けられ、傾斜フレームの下端部に連結されて、傾斜フレームを弾性的に支持するバウンス部と、基部の他端部とシート体の上端部との間に懸架され、他端部と上端部との距離を伸縮させて、シート体の基部に対する傾斜角度を変化させる駆動手段とを有する。
【０００６】
このような本発明によれば、駆動手段によりシート体の揺動を発生させるため、乳幼児の体重移動では十分な揺動が生じなかったり、他者が揺動操作のための手を掛けられないような場合であっても、バウンシング機能を十分に発揮させることができる。
【０００７】
上記発明において、駆動手段は、シート体の上端部を基部に対して引き寄せる牽引部材を有し、牽引部材のシート体側端部には、係合手段が設けられ、シート体背面には、牽引部材の係合手段が連結される連結部が設けられ、連結部は、シート体背面に複数配列され、係合手段が連結される連結部を選択することにより、牽引部材による引張力を段階的に増減可能となっていることが好ましい。この場合には、乳幼児の体重や体型に応じて適切な揺動角度を調整することができる。
【０００８】
上記発明において、駆動手段は、シート体の傾斜角度変化を、不規則な周期で変化させる機能を備えていることが好ましい。この場合には、ｆ／１の揺らぎ効果により自然な揺動を発生させることができる。
【０００９】
上記発明において、シート体の上部には、胎内音を出力する音声出力手段が内蔵されていることが好ましい。この場合には、胎内音と揺動との相乗効果により、乳幼児に快適な睡眠をもたらすことができる。
【発明の効果】
【００１０】
以上説明したように本発明によれば、従来のバウンサーに駆動手段を設けることにより、人手等の外力が得られないような場合にも、十分なバウンシングを行うことができる。
【発明を実施するための最良の形態】
【００１１】
（乳幼児用シートの構成）
本発明の実施形態について、図面を参照しつつ説明する。図１は、本実施形態に係る乳幼児用シート１の概略構成（シート体を装着した状態）を示す外観図であり、図２は、乳幼児用シート１のフレーム構成（シート体を取り外した状態）を示す外観図である。
【００１２】
図１に示すように、本実施形態に係る乳幼児用シート１は、パイプを組み合わせてなるフレーム体２にシート体４を装着して構成されるものであり、駆動手段３によりシート体４が揺動されるようになっている。
【００１３】
シート体４は、スポンジやウレタンによりなり、乳幼児が保持される凹部が形成されたクッション部４１と、乳幼児の落下を防止するためのベルト体４２とから構成されている。また、本実施形態に係るシート体４の上部付近には、胎内音を出力する音声出力手段が内蔵されている。この胎内音は、例えば、メモリや再生部、出力部が集積されたＩＣチップにより記憶保持され、シート体４の揺動を関知することに応じて再生・出力される。
【００１４】
フレーム体２は、具体的に、図２にも示すように、設置面に載置される基部２１と、この基部２１に対して所定角度で傾斜されて配置される傾斜フレーム２３と、基部２１の一端部２１ｂにおいて傾斜フレーム２３を弾性的に支持するバウンス部２２とから構成されている。
【００１５】
基部２１は、パイプを略コの字形に形成した部材であり、一つの部材で構成してもよく、複数の部材を組み合わせて構成してもよい。傾斜フレーム２３は、シート体４を支持する逆Ｕ字形の部材であり、その下端において、連結部２５を介して、バウンス部２２に連結されている。
【００１６】
バウンス部２２は、傾斜フレーム２３の下端部において、連結部２５を介して連結された弾性を有する弯曲部材であり、その他端においてさらに、基部２１の一端部２１ｂに接続されている。このバウンス部２２は、本実施形態では、基部２１別体に設けられ、基部２１に対して着脱自在となっているが、基部２１と一体的に構成してもよい。また、本実施形態においてバウンス部２２は、部材の弾性により揺動させるようにしているが、例えば２つの部材を、スプリングを介在させてヒンジで接続し、スプリングの弾性により揺動させるようにしてもよい。
【００１７】
なお、フレーム体２は、本実施形態では、傾斜フレーム２３の下方に、連結部２５を介して、下部パイプ２４が接続されており、この下部パイプ２４によりシート体４を下方から支持するようになっている。
【００１８】
そして、基部２１の他端部２１ａには、駆動手段３が設けられている。図３は、駆動手段３の構成を示す側面図である。
【００１９】
この駆動手段３は、図３に示すように、台座３０上に設置されたモーター３２及び電源部３１とから構成され、モーター３２には、シート体４の上端部（傾斜フレーム２３の上端部２３ａ）を、基部２１に対して引き寄せるための牽引ロープ３３が懸架されている。なお、電源部３１は、例えば乾電池や所定のバッテリー装置を装填するようにしてもよいし、ＡＣアダプター等、コンセントから電源の供給を受けるようにしてもよい。
【００２０】
牽引ロープ３３は、シート体４の上端部（傾斜フレーム２３の上端部２３ａ）を基部２１に対して引き寄せるひも状の牽引部材であり、シート体４に対する引張力を強めたり弱めたりすることにより、他端部２１ａと上端部２３ａとの距離を伸縮させて、シート体４の基部２１に対する傾斜角度を変化させる。
【００２１】
駆動手段３のモーター３２には、垂直面において回転するクランク３２ａが設けられており、モーター３２によりクランク３２ａを回転させることによって、牽引ロープ３３を上下動させ、クランク３２ａの回転直径分だけ傾斜フレーム２３の上端部２３ａと、基部２１の他端部２１ａとの距離を伸縮させる。そして、この伸縮動作と、バウンス部２２の弾性力とにより、シート体４が揺動することとなる。
【００２２】
なお、本実施形態において、モーター３２には、インバーター制御機構が設けられており、このインバーター制御によりその回転速度を無段階に変化させることができる。また、このインバーター制御には、ランダムに回転速度（回転周期）を変化させる機能も備えており、モーター３２の回転速度を不規則に変化させることにより、シート体４の傾斜角度変化を不規則な周期で変化させることができるようになっている。
【００２３】
なお、本実施形態において牽引ロープ３３は、傾斜フレーム２３の上端部２３ａに直接接続したが、本発明はこれに限定されるものではなく、シート体４の背面に接続するようにしてもよい。この場合、図４に示すように、牽引ロープ３３のシート体４側端部にフック状の係合手段３３ａを設け、シート体４の背面には、係合手段３３ａが連結される連結部３３ｂを設けるようにしてもよい。この連結部３３ｂは、シート体４の背面の上下方向に複数配列され、係合手段３３ａを連結する連結部を選択することにより、牽引ロープ３３による引張力を段階的に増減可能とすることができる。これによれば、シート体４上の乳幼児の体重や体型に応じて適切な揺動角度を調整することができる。
【００２４】
また、本実施形態では、基部２１を直線的な形状とし、設置面に対して安定的に載置可能としたが、例えば、図５に示すように、基部２１に対し、弯曲部材５を固定部５ａにより装着するなどして、基部２１自体が揺動できるようにしてもよい。この場合においても、図６に示すように、牽引ロープ３３で上端部２３ａと他端部２１ａとの距離が伸縮されることによって、乳幼児用シート１の重心位置が変動され、傾斜フレーム２３のみならず、基部２１も揺動させることができ、モーター３２のインバーター制御と相俟って、揺動パターンの多様化を図ることができる。
【００２５】
（作用・効果）
このような本実施形態によれば、駆動手段３及びバウンス部２２の弾性力によりシート体４の揺動を発生させるため、乳幼児の体重移動では十分な揺動が生じなかったり、他者が揺動操作のための手を掛けられないような場合であっても、バウンシングを十分に発生させることができる。
【００２６】
また、本実施形態では、シート体４の傾斜角度変化を、不規則な周期で変化させる機能を設けているため、ｆ／１の揺らぎ効果により自然な揺動を発生させることができる。さらに、本実施形態では、シート体４のに、胎内音を出力する音声出力手段を内蔵させているため、胎内音と揺動との相乗効果により、乳幼児に快適な睡眠をもたらすことができる。
【図面の簡単な説明】
【００２７】
【図１】実施形態に係る乳幼児用シート１の概略構成（シート体を装着した状態）を示す外観図である。
【図２】実施形態に係る乳幼児用シート１のフレーム構成（シート体を取り外した状態）を示す外観図である。
【図３】実施形態に係る駆動手段３の構成を示す側面図である。
【図４】変更例に係る係合手段３３ａを示す説明図である。
【図５】変更例に係る乳幼児用シート１の概略構成を示す外観図である。
【図６】変更例に係る乳幼児用シートの動作を示す説明図である。
【符号の説明】
【００２８】
１…乳幼児用シート
２…フレーム体
３…駆動手段
４…シート体
５…弯曲部材
５ａ…固定部
２１…基部
２１ａ…他端部
２１ｂ…一端部
２２…バウンス部
２３…傾斜フレーム
２３ａ…上端部
２４…下部パイプ
２５…連結部
３０…台座
３１…電源部
３２…モーター
３２ａ…クランク
３３…牽引ロープ
３３ａ…係合手段
３３ｂ…連結部
４１…クッション部
４２…ベルト体
【図１】
2008035916.tif 000003
【図２】
2008035916.tif 000004
【図３】
2008035916.tif 000005
【図４】
2008035916.tif 000006
【図５】
2008035916.tif 000007
【図６】
2008035916.tif 000008